(57)【特許請求の範囲】
【請求項１】
掃除機本体の側面に１対の車輪を有し、不使用時には前記車輪の軸線が垂直になるよう掃除機本体を引き起こし、一方の車輪を台座として床面上に載置できるようにした電気掃除機において、
前記車輪の少なくとも一方に、車輪自身、又は車輪を支持する車軸に対しヒンジ結合されて車輪側面を開閉可能に覆うホイールキャップを設け、
前記ホイールキャップは、閉状態から開状態へ、またその逆へと１８０゜回動させることができ、
前記車輪の側面には前記ホイールキャップを受け入れる切り欠きを形設し、
前記ホイールキャップを閉状態から開状態へ１８０°回動させ
前記ホイールキャップを前記切り欠きに挿入することで、
前記ホイールキャップを前記車輪から張り出させた状態で、前記ホイールキャップと前記車輪とを同一平面上に置くことができるようにしたことを特徴とする電気掃除機。
【請求項２】
前記掃除機本体に間接に連通接続された吸込口体を備え、
前記ホイールキャップの表面には、前記吸込口体を囲むように複数個の凸部を設けたことを特徴とする請求項１に記載の電気掃除機。
【請求項３】
前記掃除機本体に間接に連通接続された吸込口体を備え、
前記吸込口体の平面輪郭をかたどった凹部を前記ホイールキャップの表面に形設したことを特徴とする請求項１に記載の電気掃除機。
【請求項４】
前記凹部には、前記吸込口体に設けた凹部と係合する係合手段を設けたことを特徴とする請求項３に記載の電気掃除機。
【請求項５】
前記ホイールキャップと前記車輪との間に前記ホイールキャップの１８０゜開放状態を維持する手段を設けたことを特徴とする請求項１〜請求項４のいずれかに記載の電気掃除機。
【発明の詳細な説明】
【０００１】
【発明の属する技術分野】
本発明は電気掃除機の構造に関し、特に、不使用時の電気掃除機の支持の手法につき新しい提案を行うものである。
【０００２】
【従来の技術】
サクションホースを介して掃除機本体を引き、床面上を移動させる形式の電気掃除機にあっては、移動を軽快にするため、様々な支持構造が工夫されている。図１１に示す電気掃除機１もその一例であって、掃除機本体１０のハウジング１１をドラム状に形成し、このドラム状ハウジング１１の両端部（これが掃除機本体１０の「側面」であるものとする）に、掃除機本体１０よりも直径の大きい車輪１２を取り付けている。掃除機本体１０の内部には電動送風機１３を配置し、掃除機本体１０の正面中央の接続口２２にはサクションホース１４を接続する。サクションホース１４の先端に設けたジョイント部１５に接続パイプ１６を連結し、接続パイプ１６の先端に吸込口体１７を接続する。ジョイント部１５はハンドル部１８を有し、このハンドル部１８の表面には電気掃除機１の運転操作を行う操作パネルが設けられている。またジョイント部１５にはサイクロン集塵装置１９が設けられている。
【０００３】
図１１の電気掃除機１において電動送風機１３を駆動すると、吸込口体１７から空気が吸い込まれる。床面ｆの上で吸込口体１７を動かすと、床面ｆの上にあった塵埃は空気とともに吸込口体１７に吸い込まれ、接続パイプ１６を通ってサイクロン集塵装置１９に入り、そこで気流から塵埃が分離され捕捉される。塵埃分離後の気流はサクションホース１４を通って掃除機本体１０の中に入り、電動送風機１３に吸い込まれた後、図示しない排気口から掃除機本体１０の外へ排出されるものである。この電気掃除機１は車輪１２の直径が大きいため障害物乗り越え性能が高く、家の中を軽快に引き回すことができる。
【０００４】
上記電気掃除機１は走行性が良いので放置しておくとひとりでにあらぬ方向へ転がって行ってしまうことがある。そこで不使用時には、車輪１２の軸線が垂直になるよう掃除機本体１０を引き起こす。すると車輪１２の一方が台座の役割を果たし、床面ｆの上で掃除機本体１０を支える。掃除機本体１０に形設したフック２０に接続パイプ１６側のフック２１を係合させれば、サクションホース１４、接続パイプ１６、及び吸込口体１７を接続状態のまま掃除機本体１０に保持させることができ、小面積の空間内に電気掃除機１の全要素を保管することが可能になるものである。
【０００５】
【発明が解決しようとする課題】
上記電気掃除機１は、不使用時には一方の車輪１２を台座として掃除機本体１０を立て、その側面に接続パイプ１６を保持させるので、全体としてかなり背の高いものとなり、不安定である。また車輪１２はその直径が掃除機本体１０を凌ぐほどもあり、電気掃除機１の表面積中に占める車輪１２の割合がきわめて大きいにもかかわらず、その大面積側面が有効活用されているとは言い難い。そこで本発明は、このように車輪１２の面積が大きいことに着目し、不使用時における姿勢安定性の向上に、また付属部品の収納箇所を用意して電気掃除機１の使い勝手を向上させることに、この箇所を活用することを目的とする。
【０００６】
【課題を解決するための手段】
上記目的を達成するため、本発明では、掃除機本体の側面に１対の車輪を有し、不使用時には前記車輪の軸線が垂直になるよう掃除機本体を引き起こし、一方の車輪を台座として床面上に載置できるようにした電気掃除機において、前記車輪の少なくとも一方に、車輪自身、又は車輪を支持する車軸に対しヒンジ結合されて車輪側面を開閉可能に覆うホイールキャップを設け、前記ホイールキャップは、閉状態から開状態へ、またその逆へと１８０゜回動させることができ、前記車輪の側面には前記ホイールキャップを受け入れる切り欠きを形設し、前記ホイールキャップを閉状態から開状態へ１８０°回動させ前記ホイールキャップを前記切り欠きに挿入することで、前記ホイールキャップを前記車輪から張り出させた状態で、前記ホイールキャップと前記車輪とを同一平面上に置くことができるようにした。
【０００７】
このようにホイールキャップを車輪から張り出させた状態で、ホイールキャップと車輪を同一平面上に置くことができるので、ホイールキャップに掃除機本体の姿勢安定用補助脚としての役割を果たさせることができ、電気掃除機を使いやすいものとすることができる。
【０００８】
また本発明では、前記掃除機本体に間接に連通接続された吸込口体を備え、前記ホイールキャップの表面に、前記吸込口体を囲むように複数個の凸部を設けた。これにより、吸込口体の位置がきちんと定まり、掃除機本体に形設したフックと接続パイプ側のフックを位置合わせして係合させる作業も容易に行うことができる。
【０００９】
また本発明では、前記掃除機本体に間接に連通接続された吸込口体を備え、前記吸込口体の平面輪郭をかたどった凹部を前記ホイールキャップの表面に形設した。これにより、吸込口体の位置がきちんと定まり、掃除機本体に形設したフックと接続パイプ側のフックを位置合わせして係合させる作業も容易に行うことができる。
【００１０】
また本発明では、前記凹部に、前記吸込口体に設けた凹部と係合する係合手段を設けた。これにより、吸込口体は確実に保持される。
【００１１】
また本発明では、前記ホイールキャップと前記車輪との間に前記ホイールキャップの１８０゜開放状態を維持する手段を設けた。これにより、掃除機本体の支持が一層安定する。
【００１２】
【発明の実施の形態】
以下、本発明の第１の実施形態を図１〜図３に基づき説明する。なおこの第１の実施形態を含む以後の実施形態において、「従来の技術」で紹介した電気掃除機と共通する構成要素には前と同じ符号を付し、説明は省略する。
【００１３】
第１の実施形態において、ドラム状の掃除機本体１０の両側面には掃除機本体１０より直径の大きい１対の車輪１２ａ、１２ｂが配置されるのであるが、その取付構造は次のようになっている。まず、掃除機本体１０の側面の中心に車軸３０ａ、３０ｂを形設する。掃除機本体１０のハウジング１１は合成樹脂製であり、車軸３０ａ、３０ｂはハウジング１１に一体成形される。車輪１２ａ、１２ｂも合成樹脂製であり、その側面に、車軸３０ａ、３０ｂと同心円をなす円形の凹所３１ａ、３１ｂを形設する。深さに関しては、凹所３１ｂの方が凹所３１ａよりも深い。凹所３１ａ、３１ｂの中心にはハブ３２ａ、３２ｂを形設する。
【００１４】
車輪１２ａ、１２ｂは、ハブ３２ａ、３２ｂを車軸３０ａ、３０ｂの外側に嵌合し、座板３３ａ、３３ｂをネジ３４で車軸３０ａ、３０ｂに固定することにより、掃除機本体１０に回転自在に取り付けられる。車輪１２ａ、１２ｂの外周部には掃除機本体１０の側面に向き合う面に環状の溝３５ａ、３５ｂが設けられており、この溝３５ａ、３５ｂの中に、ハウジング１１に形設された環状の突壁３６ａ、３６ｂが入り込む。溝３５ａ、３５ｂを設けたことにより、車輪１２ａ、１２ｂの外周部は中空となり、クッション性が高まっている。
【００１５】
座板３３ａ、３３ｂは側面形状が円形であり、その直径は凹所３１ａ、３１ｂの直径よりやや小さい。従って車輪１２ａ、１２ｂは、ハブ３２ａ、３２ｂの側面を除き、座板３３ａ、３３ｂに接触することなく回転する。車輪１２ａ、１２ｂにつられて座板３３ａ、３３ｂが回転し、ネジ３４が緩むことのないよう、車軸３０ａ、３０ｂと座板３３ａ、３３ｂの間には凹凸係合等適当な回り止め手段を施しておく。
【００１６】
座板３３ａ、３３ｂには、これらとほぼ同じ直径のホイールキャップ３７ａ、３７ｂを取り付ける。ホイールキャップ３７ａを取り付けるため、座板３３ａの周縁の一側にヒンジ部３８ａを形設する。ホイールキャップ３７ａはこのヒンジ部３８ａに軸３９ａにより開閉自在に連結される。すなわちホイールキャップ３７ａは座板３３ａを介して車軸３０ａにヒンジ結合されることになる。
【００１７】
ホイールキャップ３７ａの開閉端には閉状態維持手段５６ａを設ける。閉状態維持手段５６ａはホイールキャップ３７ａの裏側固定された鉄片４０と、これに対応して座板３３ａに固定された磁石４１により構成される。磁石４１が鉄板４０を吸着することにより、ホイールキャップ３７ａは凹所３１ａを閉ざす状態に維持される。ホイールキャップ３７ａの外面の開閉端近くには引き手凹所４２ａが設けられており、ここに手をかけて引くことにより、ホイールキャップ３７ａを軸３９ａを中心に回動させることができる。
【００１８】
ホイールキャップ３７ａは車輪１２ａの軸線を含む平面内で閉状態から開状態へと、またその逆へと１８０゜回動させることができるものであり、これを可能にするため、車輪１２ａの側面にはホイールキャップ３７ａがヒンジ部３８ａに組合わさる部位を受け入れる切り欠き４３を形設する。切り欠き４３は９０゜間隔で計４箇所に設ける。
【００１９】
この実施形態では、ホイールキャップ３７ａの閉状態維持手段５６ａとして磁石４１と鉄片４０の組み合わせを用いているが、これを他の保持手段で置き換えることもできる。例えば、商標名ベルクロファスナーとして知られている布帛連結手段やスナップボタン等が代替使用可能である。
【００２０】
座板３３ｂの周縁の一側にも、ホイールキャップ３７ｂをヒンジ結合するためのヒンジ部３８ｂを形設する。このヒンジ部３８ｂに、ホイールキャップ３７ｂが軸３９ｂにより連結される。ホイールキャップ３７ｂの開閉端にも閉状態維持手段５６ｂを設ける。閉状態維持手段５６ｂは、ホイールキャップ３７ｂの側に設けた引き手４４と、座板３３ｂの側に設けたフック部４６により構成される。
【００２１】
ホイールキャップ３７ｂの開閉端には引き手凹所４２ｂが設けられ、この中に断面Ｌ字型の引き手４４が、Ｌ字の屈曲部を中心に回動できるよう取り付けられている。引き手４４の一方の腕はフック部４５となっていて、このフック部４５が座板３３ｂに形設したフック部４６に係合し、ホイールキャップ３７ｂを閉状態に維持する。引き手４４は、フック部４５をフック部４６に係合させるよう、図示しないバネにより付勢されている。引き手４４の他方の腕に手をかけて引けば引き手４４はバネに抗して回動し、フック部４５がフック部４６から外れ、ホイールキャップ３７ｂを軸３９ｂを中心として回動させることができる。なおホイールキャップ３７ｂも車輪１２ｂの軸線を含む平面内で回動するものであるが、車輪１２ａの切り欠き４３のような切り欠きが車輪１２ｂにはないため、閉状態から１８０゜まで開くことはできない。
【００２２】
ホイールキャップ３７ｂと座板３３ｂの間の空間は、隙間ノズルや家具用ブラシといった掃除用の付属部品を収める付属部品収納室５０となる。座板３３ｂの側面には付属部品保持手段５１を固定する。付属部品保持手段５１は弾性に富む合成樹脂により成形され、付属部品を挟んで保持する断面Ｃ字形のホルダ部を、付属部品の数だけ有する。図１と図２には隙間ノズル５２を保持した状態が示されている。
【００２３】
ホイールキャップ３７ｂの外面には把手５５を固定する。この把手５５は掃除機本体１０を引き起こすのに用いる。
【００２４】
次に第１実施形態の電気掃除機１の作用を説明する。車輪１２ａ、１２ｂの軸線を水平にし、車輪１２ａ、１２ｂの両方を床面ｆに接地させ、掃除機本体１０の接続口２２にサクションホース１４を接続する。サクションホース１４に接続パイプ１６と吸込口体１７を接続し、電動送風機１３を駆動すると、吸込口体１７から床面ｆ上の塵埃が空気とともに吸い込まれる。塵埃を含んだ気流は接続パイプ１６を通ってサイクロン集塵装置１９に入り、そこで気流から塵埃が分離され捕捉される。塵埃分離後の気流はサクションホース１４を通って掃除機本体１０の中に入り、電動送風機１３に吸い込まれた後、図示しない排気口から掃除機本体１０の外へ排出される。
【００２５】
サクションホース１４を引けば掃除機本体１０は床面ｆ上を移動する。この時車輪１２ａ、１２ｂは回転するが、ホイールキャップ３７ａ、３７ｂは、これらを取り付けた座板３３ａ、３３ｂが回転しないので回転しない。すなわち引き手凹所４２ａ、４２ｂは車輪１２ａ、１２ｂの上半分の、手をかけやすい角度位置を維持する。車輪１２ａ、１２ｂが回転している間、ホイールキャップ３７ａ、３７ｂは閉状態維持手段５６ａ、５６ｂにより閉状態を保つ。従って、付属部品保持手段５１が付属部品をうまく保持していなかったとしても、付属部品が転げ出してくることはない。
【００２６】
掃除を終えたら、ホイールキャップ３７ａの引き手凹所４２ａに手をかけて引き、鉄片４０を磁石４１から引き離してホイールキャップ３７ａを開く。次いで把手５５を握り、車輪１２ａ、１２ｂの軸線が垂直になるよう掃除機本体１０を引き起こし、さらに、ホイールキャップ３７ａを反転できるよう持ち上げる。この時、４箇所にある切り欠き４３の内１個がヒンジ部３８ａと並ぶ位置に来ているよう、車輪１２ａの角度を調整しておく。その上でホイールキャップ３７ａを完全に１８０゜回動させ、車輪１２ａの外側に張り出させておいて、車輪１２ａとホイールキャップ３７ａを床面ｆの上に降ろす。車輪１２ａの外側にホイールキャップ３７ａが張り出し、両方の面積が加算されて広い台座が構成され、その上に掃除機本体１０が立つ形になる。掃除機本体１０のフック２０に接続パイプ１６側のフック２１を係合させ、サクションホース１４、接続パイプ１６、及び吸込口体１７を接続状態のまま掃除機本体１０に保持させる。吸込口体１７はホイールキャップ３７ａの上に置く。取り出して使用していた付属部品があれば、ホイールキャップ３７ｂを開け、付属部品収納室５０の付属部品保持手段５１に戻す。
【００２７】
ホイールキャップ３７ａは電気掃除機本体１０の姿勢安定用の補助脚として作用するので、電気掃除機１を安定して保管できる。掃除機本体１０のフック２０は１８０゜開いたホイールキャップ３７ａに整列する位置に設けられており、接続パイプ１６のフック２１をフック２０に係合させれば、自動的に吸込口体１７がホイールキャップ３７ａの上に載る。これにより、吸込口体１７や接続パイプ１６の重量がホイールキャップ３７ａにかかり、電気掃除機１の保管姿勢がより安定する。保管場所を変える必要があるときは、把手５５を握って掃除機本体１０を持ち上げ、移動させることができる。
【００２８】
図４に本発明の第２の実施形態を示す。この実施形態は、付属部品保持手段５１を座板３３ｂにではなくホイールキャップ３７ｂの方に固定し、これに隙間ノズル５２や家具用ブラシ５３等の付属部品を保持させるようにしたものである。
【００２９】
図５に本発明の第３の実施形態を示す。この実施形態では、ホイールキャップ３７ａの表面に、吸込口体１７を囲むように複数個の凸部６０を設けた。これにより、吸込口体１７の位置がきちんと定まり、フック２０とフック２１を位置合わせして係合させる作業も容易に行える。
【００３０】
図６に本発明の第４の実施形態を示す。この実施形態では、第３の実施形態の凸部６０に代え、吸込口体１７の平面輪郭をかたどった凹部６１をホイールキャップ３７ａの表面に形設し、この凹部６１に吸込口体１７をはめ込むようにした。作用効果は第３の実施形態と同様である。
【００３１】
図７に本発明の第５の実施形態を示す。この実施形態では、ホイールキャップ３７ａと車輪１２ａとの間にホイールキャップ３７ａの１８０゜開放状態を維持するロック手段６２を設けた。ロック手段６２はホイールキャップ３７ａ側に形設されるフック６３と車輪１２ａ側に形設される凹部６４により構成される。フック６３はホイールキャップ３７ａの表面の、ヒンジ部３８ａに近い箇所に形設され、ホイールキャップ３８ａを１８０゜開いた状態では切り欠き４３から溝３５ａの中に入り込む。凹部６４は溝３５ａの中に入ってきたフック６３の先端を受け入れるよう、溝３５ａの内面の対応位置に形設される。突壁３６ａの対応箇所にもフック６３を受け入れる切り欠き６５が形設されている。
【００３２】
上記構成においてホイールキャップ３７ａを１８０゜開くと、フック６３が凹部６４に係合し、ホイールキャップ３７ａの角度が固定される。そのため掃除機本体１０の支持が一層安定する。なお図７ではホイールキャップ３７ａと車輪１２ａとの間に隙間６６を生じさせているが、この隙間６６をゼロとすることにより、ホイールキャップ３７ａの角度固定を一層確かなものとすることができる。
【００３３】
また図７においても図６と同様、ホイールキャップ３７ａに形設した凹部６１に吸込口体１７をはめ込むものであるが、吸込口体１７の前後には凹部６７、６８が形設され、凹部６１にはこれらの凹部６７、６８に係合する凸部６９、７０が形設されている。吸込口体１７を凹部６１に、やや力をこめて押しつければ凸部６９、７０が凹部６７、６８に係合し、吸込口体１７は確実に保持される。なお凹部と凸部の関係を反転し、凹部６１側に凹部６７、６８を設け、吸込口体１７側に凸部６９、７０を設ける構成としても良い。
【００３４】
図８に本発明の第６の実施形態を示す。これは第５の実施形態をさらに進化させ、図７の凸部６９をラッチレバー７１に置き換えたものである。ラッチレバー７１は全体形状がＬ字形になっており、中間の屈曲部が軸７２でホイールキャップ３７ａに枢着され、垂直面内で回動可能である。ラッチレバー７１の一方の腕は吸込口体１７の凹部６７に係合するフック部７３となり、他方の腕は力点部７４となっている。図示しないバネにより、ラッチレバー７１はフック部７３を凹部６７に係合させる方向に、すなわち図８において時計回り方向に付勢される。ホイールキャップ３７ａにはラッチレバー７１を覆うカバー部７５が形設され、ここに操作釦７６が配置される。操作釦７６の一端はラッチレバー７１の力点部７４に係合し、他端はカバー部７５の外側に頭を出す。
【００３５】
上記構成において、凹部６１に吸込口体１７を押しつければ、ラッチレバー７１がバネに抗して退避し、吸込口体１７は凹部６１にはまり込む。吸込口体１７が凹部６１の中に収まると、ラッチレバー７１のフック部７３が凹部６７に係合し、吸込口体１７の脱出を阻止する。操作釦７６を押し、ラッチレバー７１を図８において反時計回りに回動させてフック部７３を凹部６７から外せば、吸込口体１７を凹部６１から取り外すことが可能になる。第５の実施形態にあっては、凸部６９と凹部６７が弾性係合していたため、吸込口体１７を持ち上げるとホイールキャップ３７ａもそれにつられて上昇しようとしたが、この実施形態ではフック部７３を凹部６７から外してから吸込口体１７を持ち上げれば良いので、そのような事態は生じない。
【００３６】
図９に本発明の第７の実施形態を示す。この実施形態では大直径の座板３３ａを廃し、通常のワッシャ８０で車輪１２ａの抜け止めを行うこととした。そして車輪１２ａにヒンジ部８１ａを設け、これにホイールキャップ３７ａを軸３９ａで連結した。鉄片４０を吸着する磁石４１も車輪１２ａに設けた張出部８２に固定した。この構成では、車輪１２ａとホイールキャップ３７ａが一体となって回転するため、ホイールキャップ３７ａの１８０゜オープンを可能にするための切り欠き４３を１箇所にだけ設けておけば済む。
【００３７】
ホイールキャップ３７ａの例にならい、ホイールキャップ３７ｂを車輪１２ｂに直接ヒンジ結合することも可能である。その場合、付属部品保持手段５１は第２の実施形態のときのようにホイールキャップ３７ｂに固定するか、あるいは車輪１２ｂの側面に固定することになる。
【００３８】
図１０に本発明の第８の実施形態を示す。この実施形態では、ハウジング１１の側面に大直径の車軸９０ａを形設する。車軸９０ａの直径はホイールキャップ３７ａの直径にやや足りない程度で、内部は空間９１ａとなっている。車輪１２ａのハブ９２ａも車軸９０ａに対応して大直径に形成されている。ハブ９２ａを車軸９０ａの外側に嵌合した後、抜け止めリング９３を車軸９０ａに嵌合して車輪１２ａの抜け止めを行う。車軸９０ａにはホイールキャップ３７ａを連結するためのヒンジ部９４ａと磁石４１を固定するための張出部９５を形設する。この構成では、車軸９０ａが大直径であるため強度が大きく、車輪１２ａに強い衝撃が加わっても車軸９０ａが破損する懸念がない。ただし車輪１２ａとホイールキャップ３７ａとが一体になって回転しないのでヒンジ部９４ａと切り欠き４３との角度関係が不定であり、従って第１の実施形態と同様、切り欠き４３を複数箇所に設けるという配慮が求められる。
【００３９】
車輪１２ｂとホイールキャップ３７ｂも車軸９０ａと同様の大直径車軸に支持させることが可能である。その場合付属部品保持手段５１は第２の実施形態のようにホイールキャップ３７ｂに固定するか、又は車軸に囲まれたハウジング側面に固定することになる。
【００４０】
上記第１〜第８の実施形態において、車輪１２ａ、１２ｂにそれぞれホイールキャップ３７ａ、３７ｂを用意し、ホイールキャップ３７ａは掃除機本体１０の姿勢安定用の補助脚として使用し、ホイールキャップ３７ｂはその裏側に付属部品収納室５０を形成するものとして説明を行ったが、この構成は必須ではない。ホイールキャップ３７ａ、３７ｂを両方とも姿勢安定用の補助脚としても良く、両方の裏側に付属部品収納室を形成しても良い。また、車輪１２ａ、１２ｂの一方についてだけホイールキャップを設け、他方の車輪についてはこれを省くことも可能である。
【００４１】
以上、本発明の各種実施形態につき説明したが、この他、発明の主旨を逸脱しない範囲で更に種々の変更を加えて実施することができる。
【００４２】
【発明の効果】
本発明により、次に掲げるような効果が奏される。
掃除機本体の側面に１対の車輪を有し、不使用時には前記車輪の軸線が垂直になるよう  掃除機本体を引き起こし、一方の車輪を台座として床面上に載置できるようにした電気  掃除機において、前記車輪の少なくとも一方に、車輪自身、又は車輪を支持する車軸に  対しヒンジ結合されて車輪側面を開閉可能に覆うホイールキャップを設け、前記ホイー ルキャップは、閉状態から開状態へ、またその逆へと１８０゜回動させることができ、 前記車輪の側面には前記ホイールキャップを受け入れる切り欠きを形設し、前記ホイー ルキャップを閉状態から開状態へ１８０°回動させ前記ホイールキャップを前記切り欠 きに挿入することで、前記ホイールキャップを前記車輪から張り出させた状態で、前記 ホイールキャップと前記車輪とを同一平面上に置くことができるようにしたから、開い  た状態のホイールキャップに掃除機本体の姿勢安定用の補助脚としての役割を果たさせ  ることができ、電気掃除機を使いやすいものとすることができる。
【００４３】
掃除機本体に間接に連通接続された吸込口体を備え、ホイールキャップの表面に、吸込口体を囲むように複数個の凸部を設けたから、吸込口体の位置がきちんと定まり、掃除機本体に形設したフックと接続パイプ側のフックを位置合わせして係合させる作業も容易に行うことができる。
【００４４】
掃除機本体に間接に連通接続された吸込口体を備え、吸込口体の平面輪郭をかたどった凹部をホイールキャップの表面に形設したから、吸込口体の位置がきちんと定まり、掃除機本体に形設したフックと接続パイプ側のフックを位置合わせして係合させる作業も容易に行うことができる。
【００４５】
吸込口体の平面輪郭をかたどった凹部に、吸込口体に設けた凹部と係合する係合手段を設けたから、吸込口体は確実に保持される。
【００４６】
ホイールキャップと車輪との間にホイールキャップの１８０゜開放状態を維持する手段を設けたから、掃除機本体の支持が一層安定する。
【図面の簡単な説明】
【図１】  本発明電気掃除機の第１実施形態を示す側面図にして、掃除機を保管状態におき、かつ掃除機本体の部分を断面図としたもの
【図２】  第１実施形態の掃除機本体を１対の車輪で床面上に支持する状態を示す縦断面図
【図３】  第１実施形態の掃除機本体の側面図
【図４】  本発明電気掃除機の第２実施形態を示す掃除機本体の部分断面図
【図５】  本発明電気掃除機の第３実施形態を示す掃除機本体の部分断面図
【図６】  本発明電気掃除機の第４実施形態を示す掃除機本体の部分断面図
【図７】  本発明電気掃除機の第５実施形態を示す掃除機本体の部分断面図
【図８】  本発明電気掃除機の第６実施形態を示す掃除機本体の部分断面図
【図９】  本発明電気掃除機の第７実施形態を示す掃除機本体の部分断面図
【図１０】  本発明電気掃除機の第８実施形態を示す掃除機本体の部分断面図
【図１１】  従来の電気掃除機の構造を示す図１と同様の側面図
【符号の説明】
１    電気掃除機
１０  電気掃除機本体
１１  ハウジング
１２ａ、１２ｂ  車輪
１３  電動送風機
１４  サクションホース
１６  接続パイプ
１７  吸込口体
３０ａ、３０ｂ  車軸
３２ａ、３２ｂ  ハブ
３３ａ、３３ｂ  座板
３７ａ、３７ｂ  ホイールキャップ
３８ａ、３８ｂ  ヒンジ部
３９ａ、３９ｂ  軸
５０  付属部品収納室
５１  付属部品保持手段
５５  把手
５６ａ、５６ｂ  閉状態維持手段
８１ａ  ヒンジ部
９０ａ  車軸
９４ａ  ヒンジ部
【図１】
0003801443.tif 000002
【図２】
0003801443.tif 000003
【図３】
0003801443.tif 000004
【図４】
0003801443.tif 000005
【図５】
0003801443.tif 000006
【図６】
0003801443.tif 000007
【図７】
0003801443.tif 000008
【図８】
0003801443.tif 000009
【図９】
0003801443.tif 000010
【図１０】
0003801443.tif 000011
【図１１】
0003801443.tif 000012